(57)【要約】【課題】  屋内に居ながらにして、雨の音などの屋外音を聴取することができるとともに、静寂の中でわずかに感じられる降雪時の雰囲気音などを低コストで聴取することが可能な屋外音聴取装置の提供。【解決手段】  インターホンに有線又は無線によって接続され、自然音発生手段１０から生じる自然音を集音して、インターホンの回線に、集音した自然音を出力する集音手段２２を設け、前記インターホンの室内機１６から屋外の自然音を聴取し得るようにした。【選択図】        図１
2006013649.tif 000002
【特許請求の範囲】
【請求項１】
インターホンに有線又は無線によって接続され、屋外の自然音を集音して、インターホンの回線に集音した自然音を出力する集音手段を設け、前記インターホンの室内機から自然音を聴取し得るようにしたことを特徴とする屋外音聴取装置。
【請求項２】
前記集音手段によって、屋外に設置されている自然音発生手段から発生する自然音を集音するようにしたことを特徴とする請求項１に記載の屋外音聴取装置。
【請求項３】
前記自然音発生手段は、雨音、降雪音、風音を発生させることを特徴とする請求項２に記載の屋外音聴取装置。
【請求項４】
前記インターホンの室内機と別に室内スピーカを設置し、切替手段によってインターホンの室内機から切り替えて自然音を該室内スピーカから聴取し得るようにしたことを特徴とする請求項１乃至３に記載の屋外音聴取装置。
【請求項５】
前記自然音発生手段には、雨、雪又は風が当たることによって音を発生する陶磁器製、鉄板製等の自然音生成部が設けられ、該自然音生成部に向けて前記集音手段が設置されていることを特徴とする請求項３又は４に記載の屋外音聴取装置。
【請求項６】
前記室内スピーカは、前記インターホンの親機と有線又は無線で接続されていることを特徴とする請求項４又は５に記載の屋外音聴取装置。
【発明の詳細な説明】
【技術分野】
【０００１】
本発明は、屋外音聴取装置に係り、室内に居ながらにして風の音、雨の音、積雪時の音などの屋外音を聴取することが可能な屋外音聴取装置に関する。
【背景技術】
【０００２】
近年、住空間の防音化の進展、高気密化、人口の集中に伴う住宅の高層化等によって、室内において自然音を聴取できる機会は著しく減少している。その一方で、雨音や波の音などの自然が発する屋外音の癒し効果が見直され、このような自然音や雰囲気音が記録されたコンパクトディスク、カセットテープ、ミニディスクなどの商品が広く出回るようになっている。
【０００３】
屋外の情報を室内にて取得することを目的とした発明としては、特開2002-350558号公報記載の発明が公知である。同公報記載の屋外情報報知装置は、空調装置や、インターホン、ＴＶドアホンの室外機に取り付けられた温度センサ、雨滴検知センサ等の検知手段によって屋外の情報を取得し、取得した情報を分析した後、それぞれの装置の室内機に設置した報知手段により、各種の屋外の情報を室内に居る者に知らせるようになっている。
【特許文献１】特開2002-350558号公報
【発明の開示】
【発明が解決しようとする課題】
【０００４】
しかしながら、コンパクトディスクやミニディスクに録音されている自然音は、画一的で、何度か視聴しているうちに飽きてしまうと言う問題点がある。また、特開2002-350558号公報に記載されている屋外情報報知装置は、専ら天候や、気温、湿度、雨滴の有無などの検知を目的とするものであり、屋外の音を室内にて聴取することはできなかった。
【０００５】
本発明は、このような諸事情に対処するために提案されたものであって、屋内に居ながらにして、雨の音などの屋外音を聴取することができるとともに、静寂の中でわずかに感じられる降雪時の雰囲気音などを聴取することが可能な屋外音聴取装置を提供することを目的とする。
【課題を解決するための手段】
【０００６】
上記目的を達成するために、請求項１記載の発明は、インターホンに有線又は無線によって接続され、屋外の自然音を集音して、インターホンの回線に集音した自然音を出力する集音手段を設け、前記インターホンを介してインターホンの室内機から自然音を聴取し得るようにしたことを特徴とする。
【０００７】
請求項２記載の発明は、請求項１において、前記集音手段によって、屋外に設置されている自然音発生手段から発生する自然音を集音するようにしたことを特徴とする。
【０００８】
請求項３記載の発明は、請求項２において、前記自然音発生手段は、雨音、降雪音、風音を発生させることを特徴とする。
【０００９】
請求項４記載の発明は、請求項１乃至３において、前記インターホンの室内機と別に室内スピーカを設置し、切替手段によってインターホンの室内機から切り替えて自然音を該室内スピーカから聴取し得るようにしたことを特徴とする。
【００１０】
請求項５記載の発明は、請求項３または４において、前記自然音発生手段には、雨、雪又は風が当たることによって音を発生する陶磁器製、鉄板製等の自然音生成部が設けられ、該自然音生成部に向けて前記集音手段が設置されていることを特徴とする。
【００１１】
請求項６記載の発明は、請求項４又は５において、前記室内スピーカは、前記インターホンの親機と有線又は無線で接続されていることを特徴とする。
【発明の効果】
【００１２】
上述のように、請求項１乃至３に記載の発明によれば、屋外の自然音を、既存のインターホンの回線を利用して、室内にて聴取し得るようにしているので、設備費が最小限ですみ、屋外の自然音を低コストで室内で聴取して楽しむことができるようになる。
【００１３】
上述のように、請求項４に記載の発明によれば、インターホンの室内機とは別に、屋外の自然音を聴取するための室内スピーカを設置しているので、室内機が設置されている部屋以外の居室において、屋外の自然音を聴取して楽しむことができる。
【００１４】
上述のように、請求項５記載の発明によれば、陶磁器製又は鉄板製の自然音生成部に、雨、風、雪などが接触することによって生じる自然音を集音して、室内にて聴取し得るようにしているので、室内にいながらにして雨音や、静寂の中でわずかに生じる雪の雰囲気音などを楽しむことが出来る。
【００１５】
上述のように、請求項６記載の発明によれば、室内スピーカは、インターホンの親機と有線又は無線で接続されているので、コードレス式で且つ防湿タイプの室内スピーカを用いれば、浴室などでも屋外の自然音を聴取して楽しむことが出来る。
【発明を実施するための最良の形態】
【００１６】
以下、本発明に係る屋外音聴取装置の好適な実施形態を、添付図面を参照して説明する。
【００１７】
図１は一実施形態の屋外音集音装置の概略構成を示すブロック図、図２、図３は自然音発生手段の概略構成を示した図、図４は自然音発生手段による自然音が発生する際の作用を示す概略図である。
図１に示されるように、本実施形態の屋外音集音装置は、自然音発生手段１０と、音声出力手段１２と、インターホンの室外機１４と、室内機１６と、屋外音専用スピーカ（室内スピーカ）１８等とからなっている。
【００１８】
自然音発生手段１０は、雨や雪、風などが当たる屋根２０（自然音生成部）、集音手段２２を備えている。屋根２０はトタンなどの鉄板製、又は瓦などの陶磁器などで構成され、屋根２０は雪や雨が下方の地面へ導かれる程度の傾斜を有しており、図４（Ａ）に示されるように、降雪時又は降雨時に雪や雨が屋根２０や屋根樋２０Ａに直接当たったりすることで自然音が生じたり、屋根の雪が地面２１に滑り落ちることによって静寂の中でわずかな自然音を発生する。即ち、屋外の自然音とは、人工集中地などにおいて、風、降雨や降雪が人工物などと接触するときに発する音を意味している。なお、自然音発生手段１０は、地面に設置することができる他、ベランダ、集合住宅の屋上などに設置してもよい。
【００１９】
図１に示されるように、屋根２０の内側下部には、集音手段２２が設置されており、この集音手段２２は図示しない高感度マイクを備え、音声出力手段１２に対して有線又は無線によって接続されている。音声出力手段１２は、インターホンの室外機１４と、有線又は無線によって接続され、集音手段２２によって集音した屋外の自然音をインターホンを介して室内機１６に出力し、その内蔵スピーカから聴取することができるようになっている。本実施形態でインターホンとは、通常、玄関に設置された室外機１４と、屋内の室内機１６とからなり、来客時に屋内に居ながらにして来訪者と話すことができる装置を指す。つまり、本実施形態の屋外音聴取装置は、既存のインターホンを利用するところに特色を有している。
【００２０】
また、インターホンの室内機１６は、屋外音専用スピーカ１８と有線又は無線で接続され、室内機１６を親機とすると、屋外音専用スピーカ１８は子機に相当するものであり、室内機１６の音声を室内機１６が設置されていない居室でも、自然音を聴取することができる。室内機１６には、切替スイッチ（切替手段）２４が設けられており、この切替スイッチ２４によってインターホンの室内機１６から切り替えて、屋外音専用スピーカ１８から屋外音を出すことができるようになっている。従って、通常は、インターホンの室内機１６の内蔵スピーカを利用して自然音を聴取できる一方、他の居室で自然音を聴取したい場合は切替スイッチ２４を操作して屋外音専用スピーカ１８から自然音を出すようにすることが可能である。この屋外音専用スピーカ１８は、防湿タイプのものを利用すれば、例えば浴室などでも自然音を聴取して、屋外の雰囲気を楽しむことができる。
【００２１】
このように、本実施形態の屋外音聴取装置によれば、自然音発生手段１０において、生じる雨、雪や風などが発する自然音を、インターホンの回線を利用して室内にて聴取することができ、室内の生活の中に、自然音を取り入れて楽しむことができるようになる。
【００２２】
なお、自然音発生手段１０は、図１及び図４（Ａ）で示されるものの他、図２，図３に示される形態のものを採用することができる。前述した実施形態において自然音生成部として、傾斜のある屋根２０を採用しているが、図２の自然音発生手段３０では、自然音生成部として椀状の貯留部３２が設けられている点が相違する。この貯留部３２は、降雨時には、図４（Ｂ）に示されるように、溜まった雨水の中に落ちてくる音を集音手段２２によって捉え、音声出力手段１２を介して屋内のスピーカから出すようになっている。このため、前述した屋根２０とは異なる音を居室にいながらにして楽しむことができる。
また、図３の自然音発生手段４０は、水平な受け部４２が設けられている点が前述した図１及び図２のものと相違する。この受け部４２は、図４（Ｃ）に示されるように、風がない場合は雨音が鉛直に当たるため、より大きな雨音を発生させることができる。
【００２３】
以上説明したように、本実施形態の屋外音聴取装置によれば、インターホンの回線を利用して屋外の自然音を室内にて聴取することができるため、設置に要するコストが安価ですむとともに、別途、配線工事が不要となる利点がある。
【００２４】
なお、前述した実施形態においては、自然音発生手段から発生する自然音を、室内にて聴取するようにしているが、自然音発生手段から発生する自然音の他、屋外の他の音を集音して室内で聴取することも可能である。
【産業上の利用可能性】
【００２５】
以上説明したように、本発明によれば、既存のインターホンの回線、室内の親機などを利用して、自然音を室内に導入するようにしているので、新たな設備などは最小限ですみ、その結果、低コストで屋外の自然音を室内で楽しむことができる。
【図面の簡単な説明】
【００２６】
【図１】一実施形態の屋外音集音装置の概略構成を示すブロック図である。
【図２】自然音発生手段の概略構成を示した図である。
【図３】同じく、自然音発生手段の概略構成を示した図である。
【図４】自然音発生手段による自然音が発生する際の作用を示す概略図である。
【符号の説明】
【００２７】
１０  自然音発生手段
１２  音声出力手段
１４  室外機
１６  室内機（親機）
１８  屋外音専用スピーカ（室内スピーカ）
２０  屋根（自然音生成部）
２０Ａ  屋根樋
２１  地面
２２  集音手段
２４  切替スイッチ
３０  自然音発生手段
３２  貯留部（自然音生成部）
４０  自然音発生手段
４２  受け部（自然音生成部）
【図１】
2006013649.tif 000003
【図２】
2006013649.tif 000004
【図３】
2006013649.tif 000005
【図４】
2006013649.tif 000006